(57)【要約】【課題】かご側板、及びかご天井の基本部品構成を同じくすることのできるエレベーターの乗りかごの提供。【解決手段】乗りかご１を構成するかご側板２、袖壁３、上板４、及びかご天井５のそれぞれを、四隅を折り曲げ、箱型にしたパネルＡで形成するとともに、ハット形の断面形状、或いは、コの字形の断面形状を有する補強材Ｂを、かご側板２、袖壁３、上板４、及びかご天井５の裏面に取付けることで、使用部位に応じた必要強度を確保するようにしたものである。【選択図】図１
2011001151.tif 000002
【特許請求の範囲】
【請求項１】
かご側板、袖壁、上板、及びかご天井を有して成るエレベーターの乗りかごにおいて、
前記かご側板、前記袖壁、前記上板、及び前記かご天井のそれぞれは、四隅を折り曲げ、箱型にしたパネルから形成されるとともに、前記かご側板、前記袖壁、前記上板、及び前記かご天井の裏面に、ハット形の断面形状、或いは、コの字形の断面形状を有する補強材が取付けられることを特徴とするエレベーターの乗りかご。
【発明の詳細な説明】
【技術分野】
【０００１】
本発明は、パネルを組み立て、かご側板、袖壁、上板、及びかご天井を形成するエレベーターの乗りかごに関する。
【背景技術】
【０００２】
一般に、エレベーターの乗りかごは、かご床、乗りかご壁面を構成するかご側板（かご出入口の側方に立設される袖壁、かご出入口上部に配設される上板を含む）、かご上部を覆うかご天井を有して成り立っている。これらの部品は、それぞれの部品同士をボルトで締結することによって組み立てられ、乗りかごとなる。
【０００３】
かご側板とかご天井は、共に薄板の鋼板を用いて製作されているが、形状は全く違うものである。その理由として、強度の考え方が異なること、それぞれ製造ラインが異なることが上げられる。また、かご側板の構造は、パネルの左右両端部をそれぞれコの字に曲げ、さらにかご床、もしくはかご天井と接する上下の両端部をＬ形に曲げている。このパネルに対し、強度確保のため、裏面にコの字形もしくはハット形の補強を取付けている。さらに、かご天井の構造は、かごのサイズによって、パネルを分割する場合と分割しない場合があり、いずれの場合もパネルの四方をＬ形、もしくはコの字形に曲げ、裏面にＬ形、もしくはコの字形の補強を取り付けている。
【０００４】
このように構成される乗りかごにあっては、パネルの強度を高めるため、パネルの端部に折り返し部を形成する必要があった。そこで、従来、パネルを内側から枠体に取付け、パネルと枠体とを一体化し、パネルの強度を高め、パネルの端部に折り返し部を形成することを要さず、パネルの構造を簡素化したものが提案されている（例えば、特許文献１参照）。
【先行技術文献】
【特許文献】
【０００５】
【特許文献１】特開２００５−６０００９（段落番号０００９−００１０、図４）
【発明の概要】
【発明が解決しようとする課題】
【０００６】
しかしながら、一般的なエレベーターの乗りかごでは、また、前述した従来のものにあっても、かご側板（かご出入口の側方に立設される袖壁、かご出入口上部に配設される上板を含む）とかご天井とは、それぞれの部品形状や部品構成は異なるものであり、製造ラインを複数設ける必要があるとともに、部品点数も多く、設計も煩雑になるという問題があった。
【０００７】
本発明は、前述した従来技術における実状からなされたもので、その目的は、かご側板、袖壁、上板、及びかご天井の基本部品構成を同じくすることのできるエレベーターの乗りかごを提供することにある。
【課題を解決するための手段】
【０００８】
前記目的を達成するために、本発明は、かご側板、袖壁、上板、及びかご天井を有して成るエレベーターの乗りかごにおいて、前記かご側板、前記袖壁、前記上板、及び前記かご天井のそれぞれは、四隅を折り曲げ、箱型にしたパネルから形成されるとともに、前記かご側板、前記袖壁、前記上板、及び前記かご天井の裏面に、ハット形の断面形状、或いは、コの字形の断面形状を有する補強材が取付けられることを特徴としている。
【０００９】
このように構成した本発明では、かご側板、袖壁、上板、及びかご天井のそれぞれを、四隅を折り曲げ、箱型にしたパネル、即ち、同じ断面形状を持つパネルで形成するとともに、ハット形の断面形状、或いは、コの字形の断面形状を有する補強材を、かご側板、袖壁、上板、及びかご天井の裏面に取付けることで、使用部位に応じた必要強度を確保する。これによって、かご側板、袖壁、上板、及びかご天井の基本部品構成を同じくすることができる。
【発明の効果】
【００１０】
本発明によれば、かご側板、袖壁、上板、及びかご天井の基本部品構成を同じくすることで、製造ラインの統一化を図ることができるとともに、部品点数の削減を図ることができ、生産性が向上する。また、設計側も標準化された部品を用いて設計を行うため、設計効率が向上する。したがって、乗りかご全体に対し、設計から製造までを含めて全体の原価低減が可能となる。
【図面の簡単な説明】
【００１１】
【図１】本発明に係るエレベーターの乗りかごの一実施例を示す全体構成図である。
【図２】乗りかごを形成するパネルの説明図である。
【図３】ハット形の断面形状を有する補強材の説明図である。
【図４】コの字形の断面形状を有する補強材の説明図である。
【発明を実施するための形態】
【００１２】
以下、本発明に係るエレベーターの乗りかごの実施例を図に基づき説明する。
【００１３】
本実施例のエレベーターの乗りかご１は、図１に示すように、かご出入口を除く三方に立設されるかご側板２、かご出入口の側方に立設される袖壁３、かご出入口上部に配設される上板４、及びかご上部を覆うかご天井５を有して成っているとともに、これらのかご側板２、袖壁３、上板４、及びかご天井５は、図２に示すように、四隅を折り曲げ、箱型にしたパネルＡで形成されている。かご側板２、袖壁３、上板４、及びかご天井５は、パネルＡと、このパネルＡの裏面に取付けられ、パネルＡを補強する補強材Ｂとの組み合わせで成っている。そして、かご側板１用のパネルＡとかご天井２用のパネルＡとを、それぞれ図示しないボルト及びナットにて組み立て、乗りかご１を形成する。
【００１４】
パネルＡは、図２に示すように、その端部を四方折り曲げ、箱形とする。このパネルＡの幅寸法Ｌ１、Ｗ１、及び厚さ寸法Ｈ１に関しては、使用部位に応じて任意に設定することができる。
【００１５】
一方、補強材Ｂとして、図３に示すように、ハット形の断面形状を有する補強材Ｂ１、及び、図４に示すように、コの字形の断面形状を有する補強材Ｂ２を設け、使用部位に応じて使い分ける。また、補強材Ｂ１の長さ寸法Ｌ２、及び、補強材Ｂ２の長さ寸法Ｌ３は、取付けられるパネルＡに合わせ、任意に設定される。
【００１６】
そして、本実施例にあっては、かご側板２、袖壁３、上板４、及びかご天井５は、パネルＡと補強材Ｂとの組み合わせで構成されるが、それぞれの部位で必要とされる強度が異なるため、補強材Ｂ１、Ｂ２のうち、部位に適したものを選択したり、補強材Ｂ１、Ｂ２の取付本数、及び取付位置を変えたりしたりすることで対応する。
【００１７】
本実施例によれば、かご側板２、袖壁３、上板４、及びかご天井５の基本部品構成を同じくすることで、製造ラインの統一化を図ることができるとともに、部品点数の削減を図ることができ、生産性が向上する。また、設計側も標準化された部品を用いて設計を行うため、設計効率が向上する。したがって、乗りかご１全体に対し、設計から製造までを含めて全体の原価低減が可能となる。
【符号の説明】
【００１８】
１  乗りかご
２  かご側板
３  袖壁
４  上板
５  かご天井
Ａ  パネル
Ｂ  補強材
Ｂ１  ハット形の断面形状を有する補強材
Ｂ２  コの字形の断面形状を有する補強材
【図１】
2011001151.tif 000003
【図２】
2011001151.tif 000004
【図３】
2011001151.tif 000005
【図４】
2011001151.tif 000006